(57)【要約】      （修正有）【課題】二重瞼形成用テープを瞼に容易、且つ、きれいに貼り付け、簡単に二重瞼を形成することのできる貼付具及びキットを提供する。【解決手段】瞼に貼り付けられて、瞼に二重瞼を形成する略扇形状のテープを、瞼に貼り付ける略スティック状の貼付具１は、一端側に、二重瞼形成用テープを挟持する挟持部２が形成されており、他端側には、二重瞼形成用テープを瞼上に押さえ付けるアーチ状の押付部３が形成されている。【選択図】図１
2018051104.tif 000002
【特許請求の範囲】
【請求項１】
瞼に貼り付けられて、当該瞼に二重瞼を形成する略扇形状の二重瞼形成用テープを、当該瞼に貼り付ける略スティック状の貼付具であって、
一端側に、上記二重瞼形成用テープを挟持する挟持部、が形成され、
他端側に、上記二重瞼形成用テープを瞼上に押さえ付けるアーチ状の押付部、が形成されている、
ことを特徴とする二重瞼形成用テープの貼付具。
【請求項２】
上記把持部の先端には、上記二重瞼形成用テープの挟持面に凸部が設けられている、
請求項１記載の二重瞼形成用テープの貼付具。
【請求項３】
上記挟持部は、基端部から二股状に延び出した一対の脚部、によって構成され、
上記一対の脚部は、基端部において、互いに離間した位置から延び出ている、
請求項１又は２記載の二重瞼形成用テープの貼付具。
【請求項４】
上記脚部は、少なくともその先端部がＲ状に曲折している、
請求項３記載の二重瞼形成用テープの貼付具。
【請求項５】
上記脚部は、先端部が尖形状に形成されている、
請求項３記載の二重瞼形成用テープの貼付具。
【請求項６】
上記脚部は、使用者が把持する基端部近傍の把持面が、先端部に比して幅広に形成されている、
請求項３乃至５いずれかの項に記載の二重瞼形成用テープの貼付具。
【請求項７】
瞼に貼り付けられて、当該瞼に二重瞼を形成する略扇形状の二重瞼形成用テープと、当該瞼に貼り付ける略スティック状の貼付具と、からなる二重瞼形成キットであって、
上記二重瞼形成用テープは、
台紙上に、幅方向に互いに離間した状態に並べて剥離可能に貼着されており、
上記貼付具は、
一端側に、上記二重瞼形成用テープを挟持する挟持部、が形成され、
他端側に、上記二重瞼形成用テープを瞼上に押さえ付けるアーチ状の押付部、が形成されている、
ことを特徴とする二重瞼形成キット。
【発明の詳細な説明】
【技術分野】
【０００１】
本発明は、二重瞼形成用シールを瞼に貼り付けて二重瞼を形成する技術に関する。
【背景技術】
【０００２】
従来、二重瞼を形成するために、美容整形手術が行われているが、費用がかかったり、手術に対する抵抗感から気楽に受けられなかったりすることから、簡易に安く二重瞼を形成することのできるテープや器具、あるいは方法等が提案されている。
【０００３】
この点、特許文献１では、平面視にて略Ｖ字状に形成されたＶ字状部分を有するスティックにおける、前記Ｖ字状部分の２つの先端部にセッティングされた状態でまぶた表面の所定の位置に貼り付けられることにより、二重まぶたを形成する帯状の1つまたは複数の粘着テープと、1つまたは複数の前記粘着テープがその上に配置されて仮着されており、前記粘着テープが配置される範囲内には、前記粘着テープの長手方向と少なくとも交差する方向に沿って破断可能とする切り離し線が形成されている台紙とを備え、前記切り離し線における前記台紙の破断により、前記粘着テープと前記台紙との仮着は、一部解除可能であり、前記台紙との仮着が一部解除された前記粘着テープの表面に、前記スティックの前記Ｖ字状部分の２つの先端部が押し付けられて該粘着テープが前記台紙から取り外されることにより、前記Ｖ字状部分の２つの先端部に前記粘着テープがセッティングされることを特徴とする二重まぶた形成用シートが提案されている。
【０００４】
【特許文献１】実用新案登録第３１５４１３９号公報
【発明の開示】
【発明が解決しようとする課題】
【０００５】
しかしながら、上記特許文献１記載の二重まぶた形成用シートに用いられるスティックでは、Ｖ字状部分の２つの先端部を粘着テープの両隅に接着させ、この状態で台紙から粘着テープから取り外したり、瞼に粘着テープを押し付けたりするが、作業が細かなものであるため、粘着テープがうまくスティックの先端部分に接着しなかったり、瞼に粘着テープを貼り付ける際に、粘着テープが撚れたりし易い。その結果、粘着テープが瞼にきれいに貼り付けられないと、二重瞼もきれいには形成されない。
【０００６】
そこで、本発明は、二重瞼形成用テープを瞼に容易且つきれいに貼り付け、簡単に二重瞼を形成することのできる貼付具及びキットを提供することを目的とする。
【課題を解決するための手段】
【０００７】
上記目的を達成するため、本発明の一の観点に係る二重瞼形成用テープの貼付具は、瞼に貼り付けられて、当該瞼に二重瞼を形成する略扇形状の二重瞼形成用テープを、当該瞼に貼り付ける略スティック状の貼付具であって、一端側に、上記二重瞼形成用テープを挟持する挟持部、が形成され、他端側に、上記二重瞼形成用テープを瞼上に押さえ付けるアーチ状の押付部、が形成されていることを特徴とする。
【０００８】
また、上記把持部の先端には、上記二重瞼形成用テープの挟持面に凸部が設けられているものとしてもよい。
【０００９】
また、上記挟持部は、基端部から二股状に延び出した一対の脚部、によって構成され、上記一対の脚部は、基端部において、互いに離間した位置から延び出ているものとしてもよい。
【００１０】
また、上記脚部は、少なくともその先端部がＲ状に曲折しているものとしてもよい。
【００１１】
上記脚部は、先端部が尖形状に形成されているものとしてもよい。
【００１２】
また、上記脚部は、使用者が把持する基端部近傍の把持面が、先端部に比して幅広に形成されているものとしてもよい。
【００１３】
また、本発明の別の観点に係る二重瞼形成キットは、瞼に貼り付けられて、当該瞼に二重瞼を形成する略扇形状の二重瞼形成用テープと、当該瞼に貼り付ける略スティック状の貼付具と、からなる二重瞼形成キットであって、上記二重瞼形成用テープは、台紙上に、幅方向に互いに離間した状態に並べて剥離可能に貼着されており、上記貼付具は、一端側に、上記二重瞼形成用テープを挟持する挟持部、が形成され、他端側に、上記二重瞼形成用テープを瞼上に押さえ付けるアーチ状の押付部、が形成されていることを特徴とする。
【発明の効果】
【００１４】
本発明によれば、二重瞼形成用テープを瞼に容易且つきれいに貼り付け、簡単に二重瞼を形成することができる。
【図面の簡単な説明】
【００１５】
【図１】本発明の実施形態に係る貼付具を示した図であって、（ａ）斜視図、（ｂ）平面図、（ｃ）側面図である。
【図２】本実施形態に係る貼付具によって瞼に貼り付けられるテープを示した図であって、（ａ）正面図、（ｂ）平面図である。
【図３】本実施形態に係る貼付具を用いて二重瞼を形成する工程を説明する図であって、（ａ）テープから剥離紙を剥がすと共に台紙を部分的に切り離す工程、（ｂ）貼付具によりテープを台紙から取り外す工程を示す。
【図４】本実施形態に係る貼付具を用いてテープを瞼に貼り付ける工程を説明する図である。
【図５】本実施形態に係る貼付具を用いてテープを瞼に押し付ける工程を説明する図であって、（ａ）貼付具の押付部を側面から瞼に押し付ける様子、（ｂ）貼付具の押付部の先端を瞼に押し付ける様子を示す。
【図６】本実施形態に係る二重瞼形成キットによって形成された二重瞼を示す図であって、（ａ）正面図、（ｂ）一部断面図を示す。
【発明を実施するための最良の形態】
【００１６】
以下、本発明の実施形態に係る二重瞼形成用テープの貼付具及び二重瞼形成キットについて、図を参照して説明する。
二重瞼形成キットは、図１に示される貼付具１と、図２に示される二重瞼形成用テープ４によって構成される。
【００１７】
貼付具１は、瞼に二重瞼形成用テープ４を貼り付けるスティック状の器具である。
この貼付具１は、本例では弾性変形可能なプラスチック等の樹脂系材質からなり、一端側に挟持部２が形成され、他端側には押付部３が形成されている。
【００１８】
挟持部２は、テープ４を挟持する部分であって、基端部から二股状に延び出した一対の脚部２１、２２によって構成される。
この脚部２１、２２は、基端部において互いに離間した位置から延び出している。これにより、使用者が脚部２１、２２間にテープ４を挟持すべく、把持面２１１、２２１に力をかけて脚部２１、２２を閉じさせるとき、僅かな力であっても脚部２１、２２の先端を閉じさせて、テープ４を挟持することができる。
【００１９】
また、脚部２１、２２の先端部はＲ状に曲折している。これにより、使用者の手が瞼の下方に位置する無理のない状態で、脚部２１、２２間にテープ４を挟持して瞼にテープ４を貼り付けることができる。その結果、テープ４を瞼に貼り付ける際、手元が不安定にならず、テープ４を瞼の狙った位置にきれいに貼り付けることができる。
【００２０】
また、脚部２１、２２は、使用者が把持する基端部近傍の把持面２１１、２２１が、先端部に比して幅広に形成されており、使用者が把持しやすいようになっている。
【００２１】
脚部２１、２２の先端には、テープ４を挟持する内側の挟持面に凸部２１２、２２２が形成されている。この凸部２１２、２２２は、挟持したテープ４の滑り止めとなると共に、挟持した際のテープ４に当接する面積を減らして、脚部２１、２２と当接することによるテープ４の粘着力低下を防ぐ。
なお、本例では、凸部２１２、２２２は複数、平行に設けられた突条によって構成されているが、これに限らず、点状の突起等によって構成することもできる。また、他の例では、凸部２１２、２２２に代えて凹部を形成することによっても、同様の効果を奏することができる。
【００２２】
この貼付具１を使用する際には、把持面２１１、２２１によって貼付具１を把持した上、脚部２１、２２の間、特に脚部２１、２２の先端部分の間にテープ４を配設した状態で、把持面２１１、２２１を互いに近接する向きに押圧する。これにより、脚部２１、２２は弾性変形してその間を閉じ、脚部２１、２２の間に配設されたテープ４が挟持される。
【００２３】
押付部３は、テープ４を瞼上に押さえ付ける、細い略棒状の部分であって、挟持部２とは反対の側に形成されている。
この押付部３は、使用者の瞼に形成する二重瞼のラインに即して側面視アーチ状に湾曲すると共に、先端に向かって先細り、先端は略尖形状に形成されている。押付部３を用いるときは、テープ４を瞼に貼り付けた後、瞼に形成する二重瞼のラインに沿って押付部３を側面からテープ４越しに瞼に押し付けたり、押付部３の先端でテープ４を瞼に押し付けたりする。これにより、テープ４が撚れたりすることなく、二重瞼のラインに即して瞼にきれいに貼り付けられる。
【００２４】
続いて、貼付具１によって瞼に貼り付けられるテープ４について説明する。
テープ４は、瞼に形成する二重瞼のラインに即した形状であって、上下の辺が弧状に湾曲した略扇形状あるいは幅狭な略帯状の薄い両面テープである。このテープ４は、可撓性を有し、表裏面にはアクリル系粘着剤やゴム系粘着剤等の粘着剤が塗布されている。
また、テープ４は、透明又は半透明あるいは人肌色のものが好適であり、その材質には例えば、ポリエステル、ポリエチレン、ポリウレタン、ペット樹脂、ポリオレフィン、アセテート等が用いられる。
なお、このテープ４には、通気用の貫通孔が設けるなど、通気性が確保されていてもよい。
【００２５】
図２に示されるように、テープ４は、瞼に貼り付けて使用される前は、台紙５上に複数、幅方向に互いに離間した状態に並べて仮接着されている。また、このテープ４は、裏面が台紙５上に剥離可能に接着（以下、剥離可能に接着することを仮接着ということがある）される一方、表面には剥離紙６が仮接着されている。
なお、台紙５及び剥離紙６はいずれも、表面に剥離剤がコーティングされたＰＥＴフィルムや紙片等からなり、仮接着されるテープ４の表裏面に塗布されている粘着剤の粘着力を損なうことなくテープ４に仮接着している。
【００２６】
ここで、台紙５には、仮接着されている各テープ４の幅方向に沿ってミシン目線５ａが形成されている。このミシン目線は、各テープ４の中心から長さ方向に偏った位置の下部に当たる箇所に形成されている。これにより、台紙５をミシン目線５ａに沿って切り離した際、テープ４は、切り離された台紙５のうち、接着面積の大きい方に仮接着していた部分がそのまま仮接着状態を維持する一方、接着面積の小さい部分に接着していた部分は台紙５から剥離して裏面を露出させる。
【００２７】
剥離紙６は、線対称な二枚一組の紙片６１、６２によってテープ４と同じ形状を形成し、二枚一組の紙片６１、６２によってテープ４の表面全体を覆っている。この剥離紙６は、テープ４の中心部分において、切断線６ａを介して連設しており、テープ４を使用する際には、紙片６１、６２を切断線６ａから容易に剥がすことができる。
【００２８】
次に、本実施形態に係る二重瞼形成キットにより、テープ４を使用者の瞼に貼り付け、二重瞼を形成する手順について説明する。
まず、図３に示されるように、テープ４を台紙５から取り外す。即ち、使用するテープ４が仮接着している部分の台紙５をミシン目線５ａに沿って切り離す。また、使用するテープ４の剥離紙６について、切断線６ａより紙片６１、６２をテープ４から剥がして取り除く。
そして、剥離紙６が取り除かれると共に、台紙５をミシン目線５ａに沿って切り離すことで裏面の隅が露出したテープ４の隅を貼付具１で挟持する。
【００２９】
続けて、図４に示されるように、使用者はテープ４を貼り付ける瞼を閉じた上、瞼に形成する二重瞼のラインに沿って、貼付具１の挟持部２で挟持したテープ４を裏面側から瞼に貼り付ける。このとき、脚部２１、２２の先端部がＲ状に曲折していことから、使用者は肘を必要以上にあげることなく、脚部２１、２２間に挟持したテープ４を瞼に貼り付けることができる。
【００３０】
なお、瞼上におけるテープ４の貼り付け位置については、予め押付部３の先端を瞼に押し当て、所望の二重瞼のラインに沿った溝あるいは皺を形成してシミュレートしておくとよい。
【００３１】
さらに、図５に示されるように、使用者は瞼を軽く引き上げた上で、瞼に貼り付けたテープ４を貼付具１の押付部３で押し付けると、瞼のテープ４が貼り付けられた部分がテープ４ごと奥に押し込まれる。
なお、押付部３によってテープ４を瞼に押し付けるときは、状況に応じながら、瞼に形成する二重瞼のラインに沿って押付部３を側面からテープ４越しに瞼に押し付けたり、押付部３の先端でテープ４を瞼に押し付けたりする。
【００３２】
これにより、図６に示されるように、瞼のテープ４が貼り付けられた部分が溝状に奥に引っ込み、貼り付けられたテープ４の直上部分の瞼がテープ４の表面に折り重なる。これにより、テープ４の表面にも瞼が貼り付き、瞼に溝状の二重瞼のラインＬが形成される。
【００３３】
以上の本実施形態に係る二重瞼形成キットによれば、テープ４を瞼に容易且つきれいに貼り付け、簡単に二重瞼を形成することができる。
また、貼付具１が挟持部２と押付部３を兼備することから、道具あるいは器具を持ち替える必要がない。また、挟持部２を使う場合には、押付部３が使用者の把持する部分となり、押付部３を使う場合には、挟持部２が使用者の把持する部分ともなるため、貼付具１を把持し易く、その結果、手元が安定した状態でテープ４の貼り付けを行うことができる。
【符号の説明】
【００３４】
１        貼付具
２        挟持部
２１      脚部
２１１    把持面
２１２    凸部
２２      脚部
２２１    把持面
２２２    凸部
３        押付部
４        テープ
５        台紙
５ａ      ミシン目線
６        剥離紙
６ａ      切断線
６１      紙片
６２      紙片
Ｌ        ライン
【図１】
2018051104.tif 000003
【図２】
2018051104.tif 000004
【図３】
2018051104.tif 000005
【図４】
2018051104.tif 000006
【図５】
2018051104.tif 000007
【図６】
2018051104.tif 000008